(57)【要約】【課題】照明制御システムにおいて、復電時などにおける手動による再制御が必要のない照明制御システム及び制御端末器を提供する。【解決手段】照明制御システム１は、中央制御装置１１と、複数の制御端末器１３を含む。各制御端末器１３は、中央制御装置１１からのコマンド信号に応じて照明器具１５を制御する。各制御端末器１３は、ドライブ回路２４と、照明器具１５への動作信号に応じた動作情報を記憶するFeRAM２２と、マイクロコンピュータ２１とを有する。マイクロコンピュータ２１は、中央制御装置１１からの制御コマンド信号を受信すると、制御コマンド信号に応じてドライブ回路２４から出力される動作信号を制御し、かつFeRAM２２に、動作信号に応じた動作情報を書き込み、中央制御装置１１からの問い合わせ信号に応じてFeRAM２２から動作情報を読み出して中央制御装置１１に送信する。【選択図】図２
2013196855.tif 000002
【特許請求の範囲】
【請求項１】
中央制御装置と、
伝送ラインを介して前記中央制御装置と接続され、前記中央制御装置からの制御コマンド信号に応じて照明器具を制御する制御端末器と、
前記制御端末器に設けられ、前記照明器具への動作信号を出力する出力部と、
前記制御端末器に設けられ、前記照明器具への前記動作信号に応じた動作情報を記憶する、書き換え可能な不揮発性のメモリと、
前記制御端末器に設けられ、前記中央制御装置からの前記制御コマンド信号を受信すると、前記制御コマンド信号に応じて前記出力部から出力される前記動作信号を制御し、かつ前記メモリに、前記動作信号に応じた前記動作情報を書き込み、前記中央制御装置からの問い合わせコマンド信号を受信すると、前記メモリから前記動作情報を読み出して、中央制御装置に送信する制御部と、
を有する照明制御システム。
【請求項２】
前記メモリに記憶された前記動作情報は、前記出力部が出力する前記動作信号の状態と予め一致している請求項１に記載の照明制御システム。
【請求項３】
前記中央制御装置は、停電後に復電したとき、前記制御端末器に対して前記問い合わせ信号を送信し、前記制御端末器の前記メモリに記憶された前記動作情報を得て、前記制御端末器の制御状態とする請求項１に記載の照明制御システム。
【請求項４】
前記中央制御装置は、認識されていない他の制御端末器が前記伝送ラインに接続されていることを検出したとき、前記制御端末器に対して前記問い合わせ信号を送信し、前記制御端末器の前記メモリに記憶された前記動作情報を得て、前記制御端末器の制御状態とする請求項１に記載の照明制御システム。
【請求項５】
前記メモリは、前記出力部の動作信号の履歴情報も含み、
前記制御部は、前記制御コマンド信号に応じて前記履歴情報を生成し、前記メモリに書き込む請求項１に記載の照明制御システム。
【請求項６】
前記出力部は、リレー回路を有し、
前記動作信号は、前記リレー回路に対する信号であり、
前記動作情報は、前記リレー回路のオンまたはオフの情報である請求項１の照明制御システム。
【請求項７】
伝送ラインを介して前記中央制御装置と接続され、前記中央制御装置からの制御コマンド信号に応じて照明器具を制御する制御端末器であって、
前記制御端末器に設けられ、前記照明器具への動作信号を出力する出力部と、
前記制御端末器に設けられ、前記照明器具への前記動作信号に応じた動作情報を記憶する、書き換え可能な不揮発性のメモリと、
前記制御端末器に設けられ、前記中央制御装置からの前記制御コマンド信号を受信すると、前記制御コマンド信号に応じて前記出力部から出力される前記動作信号を制御し、かつ前記メモリに、前記動作信号に応じた前記動作情報を書き込み、前記中央制御装置からの問い合わせ信号を受信すると、前記メモリから前記動作情報を読み出して、中央制御装置に送信する制御部と、
を有する制御端末器。
【発明の詳細な説明】
【技術分野】
【０００１】
本発明の実施形態は、照明制御システム及び制御端末器に関する。
【背景技術】
【０００２】
従来より、オフィスビル等において、各フロアの照明を制御する照明制御システムが採用されている。照明制御システムは、中央制御装置と、伝送ラインを介して中央制御装置と接続された複数の制御端末器とを有し、各制御端末器は、中央制御装置からの制御コマンド信号に応じて、照明器具を制御する。
【０００３】
照明制御システムでは、壁スイッチも伝送ラインにより接続されている。使用者が、壁に設けられたそのスイッチを操作することによって、その操作信号は、中央制御装置に伝送される。中央制御装置は、操作されたスイッチに対応する照明器具を制御する制御コマンド信号を制御端末器へ送信する。中央制御装置は、各照明器具の動作状態の情報を記憶しており、スイッチ操作の有無と動作状態とに基づいて、制御コマンド信号を生成して制御端末器へ送信する。
【０００４】
照明器具には、リレー回路により制御されるものがある。制御端末器は、中央制御装置からの制御コマンド信号に応じて、照明器具のオン・オフ制御を、リレー回路を制御することによって行う。
【０００５】
しかし、従来は、システム全体あるいは一部に停電が発生した場合、その停電が終了し、電源システムの全体あるいは一部が復旧したときに、停電の影響を受けた範囲における、リレー回路を用いた制御端末器の動作状態と、中央制御装置における制御状態とを一致させるために、全ての照明器具に対する手動による再制御のための作業が必要であった。具体的には、再制御のための作業は、すべての壁スイッチを操作するという煩雑な作業を含む。
【０００６】
また、既に稼動中の照明制御システムに、端末制御器を新たに増設したり、あるいは端末制御器の設置場所の変更が行われる場合もある。中央制御装置は、定期的に、伝送ラインに新たに接続されたあるいはアドレスの変更された端末制御器があるか否かを監視している。その監視により新たに増設された端末制御器等が検出された場合も、リレー回路を用いた端末制御器における各照明器具の動作状態と、中央制御装置における制御状態とを一致させるための、作業が必要であった。
【先行技術文献】
【特許文献】
【０００７】
【特許文献１】特開２００８  −９１１６０号公報
【発明の概要】
【発明が解決しようとする課題】
【０００８】
そこで、本実施形態は、復電時などにおける手動による再制御が必要のない照明制御システム及び制御端末器を提供することを目的とする。
【課題を解決するための手段】
【０００９】
実施形態の照明制御システムは、中央制御装置と、伝送ラインを介して前記中央制御装置と接続され、前記中央制御装置からの制御コマンド信号に応じて照明器具を制御する制御端末器と、前記制御端末器に設けられ、前記照明器具への動作信号を出力する出力部と、前記制御端末器に設けられ、前記照明器具への前記動作信号に応じた動作情報を記憶する、書き換え可能な不揮発性のメモリと、制御部と有する。前記制御部は、前記制御端末器に設けられ、前記中央制御装置からの前記制御コマンド信号を受信すると、前記制御コマンド信号に応じて前記出力部から出力される前記動作信号を制御し、かつ前記メモリに、前記動作信号に応じた前記動作情報を書き込み、前記中央制御装置からの問い合わせコマンド信号を受信すると、前記メモリから前記動作情報を読み出して、中央制御装置に送信する。
【発明の効果】
【００１０】
実施形態によれば、復電時などにおける手動による再制御が必要のない照明制御システム及び制御端末器を実現することができる。
【図面の簡単な説明】
【００１１】
【図１】実施形態に係わる照明制御システムの構成図である。
【図２】実施形態に係わる制御端末器１３の構成を示すブロック図である。
【図３】実施形態に係わるFeRAM２２に記憶されるデータの構造を説明するための図である。
【図４】実施形態に係わる、制御端末器１３のマイクロコンピュータ２１の動作の流れの例を示すフローチャートである。
【発明を実施するための形態】
【００１２】
以下、図面を参照して実施形態を説明する。
【００１３】
（構成）
図１は、本実施形態に係わる照明制御システムの構成図である。図１に示すように、照明制御システム１は、中央制御装置１１と、複数の操作器１２と、複数の端末制御器１３とを含んで構成されている。中央制御装置１１と、複数の操作器１２と、複数の制御端末器１３は、伝送ライン１４により接続されている。各端末制御器１３には、複数（ここでは４つ）の照明器具１５が接続されている。伝送ライン１４は、２線式の伝送ラインで、各操作器１２と各制御端末器１３に、電源と信号が伝送可能な信号線である。中央制御装置１１は、中央処理装置（CPU）等の制御部、各種データを記憶する記憶装置などを有するセンタ装置である。
【００１４】
操作器１２は、壁などに設けられる壁スイッチであり、照明器具毎あるいはグループ化された複数の照明器具の単位で、オン・オフの操作をするための複数のスイッチを有する。各スイッチは、点灯あるいは消灯の状態を示すランプ（例えば、LED）を有する。  
各制御端末器１３は、伝送ライン１４を介して中央制御装置１１と接続され、中央制御装置１１からの制御コマンド信号に応じて照明器具１５を制御する。
【００１５】
中央制御装置１１は、図示しない記憶装置に各操作器１２の各スイッチと、照明器具１５の対応情報を有している。さらに、中央制御装置１１は、各照明器具１５のアドレス情報も記憶している。
【００１６】
よって、ユーザがある操作器１２のあるスイッチを操作すると、中央制御装置１１は、操作されたスイッチに対応する照明器具１５を特定して、そのスイッチ操作に基づく制御コマンド信号を、特定した照明器具１５の制御端末器１３に送信することができる。送信される制御コマンド信号には、そのスイッチに対応する照明器具１５のアドレス情報が含まれる。
【００１７】
なお、中央制御装置１１からは各種コマンド信号が出力される。コマンド信号には、中央制御装置１１が照明器具１５を制御するための制御コマンド信号の他に、中央制御装置１１が照明器具１５の動作状態を問い合わせるための監視コマンドがある。
【００１８】
図２は、制御端末器１３の構成を示すブロック図である。制御端末器１３は、制御部であるマイクロコンピュータ２１、FeRAM（Ferroelectric Random Access Memory：強誘電体メモリ）２２、送受信回路２３、ドライブ回路２４、複数（ここでは４つ）のリレー回路（以下、リレーという）２５、アドレススイッチ２６、及び時計回路２７を含む。
【００１９】
マイクロコンピュータ２１は、所定のプログラムを実行可能な制御部である。マイクロコンピュータ２１には、照明制御プログラムが内部メモリに予め記憶されており、操作器１２に対するユーザの操作に応じた処理が実行される。  
マイクロコンピュータ２１は、FeRAM２２に、後述する各種データを記憶する。
【００２０】
送受信回路２３は、伝送ライン１４を介して信号を受信し、受信した信号に基づいて制御端末器１３の電源Vccを生成すると共に、受信した信号をマイクロコンピュータ２１に出力する。また、送受信回路２３は、マイクロコンピュータ２１からの信号を伝送ライン１４に送信する。
【００２１】
ドライブ回路２４は、マイクロコンピュータ２１からの駆動信号を受けて、対応するリレー２５を駆動するための動作信号を出力する。各リレー２５の一対の端子２５ａには、照明器具１５が接続されている。各リレー２５は、電源が与えられなくても動作状態を機械的に保持するラッチングリレーである。すなわち、ドライブ回路２４は、制御端末器１３に設けられ、各照明器具１５への動作信号を出力する出力部を構成する。
【００２２】
アドレススイッチ２６は、アドレスを設定する設定器である。アドレススイッチ２６は、例えばディップスイッチである。設定されるアドレスは、制御端末器１３に接続された各照明器具１５のアドレスである。ここでは、制御端末器１３のアドレスを「１」として、接続された第１の照明器具１５のアドレスを「１−１」、第２の照明器具１５のアドレスを「１−２」、第３の照明器具１５のアドレスを「１−３」、第４の照明器具１５のアドレスを「１−４」というように、アドレスが設定されている。よって、各制御端末器１４のアドレススイッチ２６には、制御端末器１３のアドレスを「ｎ」（ｎは整数）とすると、「ｎ−１」、「ｎ−２」、「ｎ−３」及び「ｎ−４」が設定可能となっている。
【００２３】
時計回路２７は、電池２７ａにより駆動されるリアルタイムクロックであり、年月日及び時刻データを生成し、マイクロコンピュータ２１に出力している。比較的寿命の長い電池２７ａにより、停電が発生しても時計回路２７の時刻データはリセットされない。
【００２４】
図３は、FeRAM２２に記憶されるデータの構造を説明するための図である。各制御端末器１３のFeRAM２２には、設定されたアドレス毎に、リレー２５のオン・オフの状態を示す状態データ、リレー２５のオン回数データ、日データ、週間データ、などのデータ群３１が記憶される。
【００２５】
状態データは、リレー２５の現在の動作状態を示すデータであり、ここでは、リレー２５がそのときにオンしている（すなわち閉じている）場合は「１」で、リレー２５がそのときにオフしている（すなわち開いている）場合は「０」である。後述するように、状態データは、マイクロコンピュータ２１により、最後に各リレー２５を動作させたときの動作状態を示す。
【００２６】
オン回数データは、そのアドレスのリレー２５が最初にオンされたときから現在まで何回オンされたかの累積オン回数データである。オン回数データは、リレー２５の寿命等を判定するために動作履歴情報として利用される。
【００２７】
日データ及び週間データは、そのアドレスのリレー２５の直近の動作履歴情報である。日データは、過去２４時間の動作履歴情報である。週間データは、過去一週間の動作履歴情報である。
【００２８】
マイクロコンピュータ２１は、中央制御装置１１からの制御コマンド信号に応じて、リレー２５をオンまたはオフさせると、そのときのリレー２５の状態データを書き込み、さらに、動作履歴情報を更新する。
【００２９】
以上のように、FeRAM２２は、制御端末器１３に設けられ、各照明器具１５への動作信号に応じた動作情報を記憶する、書き換え可能な不揮発性のメモリであり、さらに、ドライブ回路２４の動作信号の履歴情報も記憶する。
【００３０】
なお、端末制御器１３は、各リレー２５がオンまたはオフされ、その動作状態に応じた動作情報がFeRAM２２に記憶された状態で工場出荷される。従って、FeRAM２２に記憶された動作情報は、出力部であるドライブ回路２４が出力する動作信号の状態と予め一致している。言い換えると、工場出荷時にリレー２５のオンオフ状態と一致した動作情報がFeRAM22に記憶されている。このため、端末制御器１３がシステムに最初に接続された場合であっても、操作器１２を操作することなく操作器１２のオンオフ表示と実際の照明器具の動作状態とを一致させることができる。またその後に、マイクロコンピュータ２１によって動作情報が書き換えられても、FeRAM２２に記憶された各リレー２５の動作情報であるオン又はオフの情報は、ドライブ回路２４の各リレー２５に対する信号の内容と、一致している。
【００３１】
（動作）
次に、制御端末器１３における動作について説明する。図４は、制御端末器１３のマイクロコンピュータ２１の動作の流れの例を示すフローチャートである。
【００３２】
照明制御システム１が稼動しているとき、各操作器１２および各制御端末器１３は、所定の通信プロトコルで伝送ライン１４を介して中央制御装置１１と通信が可能となっている。オフィスなどのユーザが操作器１２のスイッチを操作して照明のオン・オフを指示すると、その指示は、中央制御装置１１へ伝えられる。このとき、スイッチから送信される操作信号は照明器具の状態変化を指示するものであって照明器具をオンするものかオフするものかは特定されない。中央制御装置１１は、各スイッチの前回の状態を記憶しており、新たに受信した操作信号から、オンからオフへの操作なのか、オフからオンへの操作なのかを判定し、このスイッチに対応する照明器具１５の制御端末器１３へ対応するリレー２５を動作させる制御コマンド信号を送信する。
【００３３】
よって、マイクロコンピュータ２１は、伝送ライン１４のコマンド信号を監視し、そのコマンド信号に含まれるアドレスが自己のアドレスと一致するか否かを判定する（S1）。具体的には、コマンド信号に含まれるアドレスがアドレススイッチ２６に設定されているアドレスと一致しているか否かが判定される。上述したように、中央制御装置１１からのコマンド信号には、制御する照明器具１５のアドレス情報が含まれているので、マイクロコンピュータ２１は、送受信回路２３を介して受信したコマンド信号が、自己宛のコマンドか否かを判定することができる。
【００３４】
受信したコマンド信号が自己宛でないとき（S1:NO）、マイクロコンピュータ２１は何の処理もしない。受信したコマンド信号が自己宛であるとき、マイクロコンピュータ２１は、その受信したコマンド信号が制御コマンド信号であるか否かを判定する（S2）。
【００３５】
マイクロコンピュータ２１は、受信したコマンド信号が制御コマンド信号であると判定した場合（S2:YES）、ドライブ回路２４を制御する（S3）。例えば、受信したコマンド信号がアドレス「１−１」の照明器具１５、すなわち制御端末器１３に接続された第１の照明器具１５をオンさせるコマンド信号であるとき、アドレス「１−１」の照明器具１５に対応するリレー２５をオンさせるように、ドライブ回路２４を駆動する動作信号を出力する。
【００３６】
そして、マイクロコンピュータ２１は、その制御コマンド信号に応じたリレーの動作情報を、状態データとしてFeRAM２２に書き込む（S4）。例えば、受信したコマンド信号がアドレス「１−１」の照明器具１５、すなわち制御端末器１３に接続された第１の照明器具１５をオンさせるコマンド信号であるとき、図３のデータ群３１中の、アドレス「１−１」の状態データを「１」に書き換える。また、受信したコマンド信号がアドレス「１−１」の照明器具１５をオフさせるコマンド信号であるとき、アドレス「１−１」の状態データを「０」に書き換える。
【００３７】
よって、データ群３１における状態データは、各照明器具の動作信号に応じたリレー２５の動作情報であり、各照明器具１５の現在の動作状態を示す。そして、FeRAM２２は、不揮発性メモリであるので、停電などにより制御端末器１３の電源が落ちても、記録されたデータは、消えずに保持されている。よって、復電したとき、停電時の各照明器具１５の動作状態、すなわち停電前にオンあるいはオフしていたのかの動作状態の情報が、状態データとして、FeRAM２２に記録されている。
【００３８】
そして、マイクロコンピュータ２１は、FeRAM２２中の、データ群３１のオン回数、日データ、週間データなどの動作履歴情報の更新を行う（S5）。オン回数データは、各アドレスの照明器具１５がオンされる度に、すなわちリレー２５が閉じられる度に、１つインクリメントされる。日データ、週間データなどの動作履歴情報は、オン及びオフ動作状態の情報と、その動作時の時刻データとが追加される。
【００３９】
なお、日データは、直近の過去２４時間のデータだけが記録され、週間データは、直近の７日間のデータが記録される。日データについては、２４時間を越えるデータが、週間データについては、７日を超えるデータが、消去される。
【００４０】
また、マイクロコンピュータ２１が受信したコマンド信号が制御コマンド信号でないと判定したとき（S2:NO）、受信したコマンド信号は監視コマンド信号であるので、マイクロコンピュータ２１は、監視コマンド信号に応じた動作情報（すなわち状態データ）あるいは動作履歴情報を、FeRAM２２から読み出す（S6）。
【００４１】
例えば、監視コマンド信号が動作情報の問い合わせの場合、マイクロコンピュータ２１は、FeRAM２２から状態データを読み出す。また、中央制御装置１１からの監視コマンド信号が、動作履歴情報における日データの送信を要求するコマンド信号である場合、マイクロコンピュータ２１は、FeRAM２２から４つのアドレスの日データを読み出す。
【００４２】
そして、マイクロコンピュータ２１は、読み出したデータを送受信回路２３を介して中央制御装置１１へ送信する（S7）。例えば、制御端末器１３は、動作情報の問い合わせの監視コマンド信号に対しては、４つのアドレスの状態データを纏めて中央制御装置１１へ送信する。また、制御端末器１３は、日データの問い合わせの監視コマンド信号に対しては、４つのアドレスの日データを纏めて中央制御装置１１へ送信する。
【００４３】
以上のように、マイクロコンピュータ２１は、制御端末器１３に設けられ、中央制御装置１１からの制御コマンド信号を受信すると、制御コマンド信号に応じてドライブ回路２４から出力される動作信号を制御し、かつFeRAM２２に、その動作信号に応じた動作情報を書き込み、中央制御装置１１からの問い合わせコマンド信号を受信すると、FeRAM２２から動作情報を読み出して、中央制御装置１１に送信する制御部を構成する。
【００４４】
上述した照明制御システム１によれば、制御端末器１３に不揮発性のメモリを設け、そのメモリに現在の状態データが常に書き込まれているので、停電後に復電したときに、中央制御装置１１は、各制御端末機１３に対して、状態データを問い合わせる監視コマンド信号を送信するだけで、FeRAM２２に記憶された停電時のリレー２５の状態の情報を各制御端末機１３から直ぐにかつ容易に得て、各制御端末器１３の制御状態とすることができる。従って、従来のような、復電時などにおける手動による再制御の作業、具体的には制御端末器１３のリレー２５の動作状態と、中央制御装置１１に記憶された各リレーの制御状態とを一致させるための壁スイッチの操作などが不要となる。
【００４５】
また、照明制御システム１おいて、端末制御器１３が新たに増設あるいは端末制御器１３の設置場所の変更が行われる場合においても、手動による再制御の作業は不要となる。例えば、各制御端末器１３のFeRAM２２に、工場出荷時においてもその工場出荷時の各リレー２５の状態を記憶させておけば、新たに増設された制御端末器１３の各リレーについての手動による再制御も不要となる。さらに、端末制御器１３の設置場所の変更が行われた場合にも、同様に手動による再制御も不要となる。これは、各端末制御器１３では、リレー２５の最後の動作状態の情報が不揮発性のメモリであるFeRAM２２に記憶されているので、中央制御装置１１は、認識されていない制御端末器１３が伝送ライン１４に接続されていることを検出したとき、その制御端末器１３に対して問い合わせ信号を送信し、その制御端末器１３のFeRAM２２に記憶された動作情報を得て、その制御端末器１３の制御状態とすることができるからである。よって、端末制御器１３の増設などの場合においても、従来のような、煩雑な作業は不要となる。
【００４６】
また、上記の例では、制御端末器１３では、FeRAM２２に状態データなどが記憶されるので、マイクロコンピュータ１２によるデータの書き込み時間が短くかつ書き込み回数の制限もない。データの書き込みが行われている間に停電が発生すると、状態データなどが正確に記憶されないことになってしまう。不揮発性のメモリには、EEPROM、フラッシュメモリなどもあるが、例えば、フラッシュメモリの場合、データの書き込みの前にデータの消去をした後にデータの書き込みを行わなければならなので、データの書き込み時間が数十ｍsec程度の時間がかかる。これに対して、FeRAMの場合は、データの書き込みの前にデータの消去をする必要はなく上書きするだけでよいので、その書き込み時間は、１００数十nsec程度である。さらにまた、フラッシュメモリの場合、データの書き込み回数に制限、例えば１０万回以上の書き込みはできなくなる等の制限があるが、FeRAMには書き込み回数の制限は無いというメリットもある。
【００４７】
従って、制御端末器１３に使用する不揮発性メモリとしてFeRAMを用いているため、データの書き込み時間が短くて済む。そのため、状態データの他に、動作履歴情報も記憶するようにしても、照明制御システムにおいて停電などが発生したときに、データの書き込みが行われている確率は低くなるというメリットもある。
【００４８】
なお、以上の例では、照明器具１５がオン及びオフされる場合を説明したが、照明器具１５の明るさも併せて制御される場合は、上述したオン及びオフの状態データに、さらに明るさの制御データも含まれる。例えば、明るさの制御データは、最大の明るさを１００としたときの明るさの割合、例えば６０％等、のデータである。
【００４９】
また、FeRAM２２には、その制御端末器１３の各リレー２５の動作履歴情報が記憶されている。よって、中央制御装置１１は、各照明器具１５あるいはリレー２５の個別の使われ方のデータを得ることができるので、システムの運用、器具の管理にリレーの寿命が来て故障する前に交換指示を、照明制御システムの管理者に対して行うことができ、リレーの突発的な故障の発生を予防することができる。
【００５０】
以上のように、本実施形態によれば、復電時などにおける手動による再制御が必要のない照明制御システム及び制御端末器を提供することができる。  
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５１】
１  照明制御システム、１１  中央制御装置、１２  操作器、１３  制御端末器、１４  伝送ライン、１５  照明器具、２１  マイクロコンピュータ、２２  FeRAM、２３  送受信回路、２４  ドライブ回路、２５  リレー、２５ａ  端子、２６  アドレススイッチ、２７  時計回路、２７ａ  電池。
【図１】
2013196855.tif 000003
【図２】
2013196855.tif 000004
【図３】
2013196855.tif 000005
【図４】
2013196855.tif 000006